(57)【要約】【課題】本発明は、携帯端末装置と画像出力装置のうち速い方でプレビュー画像の作成を行なって携帯端末装置で表示する。【解決手段】画像出力システム１は、携帯端末装置ＫＴと複合装置ＭＦが通信回線ＮＷで接続されて、該携帯端末装置ＫＴと該複合装置ＭＦに同じ画像データが保管されている状態で、携帯端末装置ＫＴから複合装置ＭＦに画像出力を要求する前に、該画像データを画像出力したときのプレビュー画像を、該携帯端末装置ＫＴのディスプレイ４４に表示させる際に、複合装置ＭＦでプレビュー画像の作成を開始してから携帯端末装置ＫＴへ該プレビュー画像を送って携帯端末装置ＫＴのディスプレイ４４へ表示するまでの装置プレビュー画像処理能力と、携帯端末装置ＫＴでプレビュー画像を作成してディスプレイ４４へ表示させるまでの端末プレビュー画像処理能力を比較して、携帯端末装置ＫＴと複合装置ＭＦのどちらでプレビュー画像を作成するかを決定する【選択図】          図１
2014059709.tif 000002
【特許請求の範囲】
【請求項１】
携帯端末装置と画像出力装置が有線または無線の通信回線で接続されて、該携帯端末装置と該画像出力装置に同じ画像データが保管されている状態で、該携帯端末装置から該画像出力装置に画像出力を要求する前に、該画像データを画像出力したときのプレビュー画像を、該携帯端末装置の表示手段に表示させる画像出力システムであって、
前記画像出力装置の保管している前記画像データからプレビュー画像を作成する装置プレビュー画像作成手段と、
前記携帯端末装置の保管している前記画像データからプレビュー画像を作成する端末プレビュー画像作成手段と、
前記装置プレビュー画像作成手段が前記画像出力装置の前記画像データからプレビュー画像の作成を開始してから前記携帯端末装置へ該プレビュー画像が提供されて該携帯端末装置の前記表示手段への表示が完了するまでの装置プレビュー画像処理能力を取得する装置プレビュー処理能力取得手段と、
前記端末プレビュー画像作成手段が前記携帯端末装置の前記画像データからプレビュー画像の作成を開始してから該携帯端末装置の前記表示手段へ表示させるまでの端末プレビュー画像処理能力を取得する端末プレビュー処理能力取得手段と、
前記装置プレビュー画像処理能力と前記端末プレビュー画像処理能力に基づいて、前記装置プレビュー画像作成手段と前記端末プレビュー画像作成手段のいずれで前記画像データのプレビュー画像を作成するかを決定するプレビュー作成先決定手段と、
を備えていることを特徴とする画像出力システム。
【請求項２】
前記装置プレビュー処理能力取得手段は、
所定の画像データ量を有する規定画像データから規定プレビュー画像を前記装置プレビュー画像作成手段が作成するまでの規定プレビュー画像作成能力と、該規定プレビュー画像を前記通信回路を通して前記携帯端末装置への送信が完了するまでの規定通信能力と、を合わせた規定装置プレビュー画像処理能力を前記装置プレビュー画像処理能力として取得することを特徴とする請求項１記載の画像出力システム。
【請求項３】
前記端末プレビュー処理能力取得手段は、
所定の画像データ量を有する規定画像データから規定プレビュー画像を前記端末プレビュー画像作成手段が作成して前記表示手段に表示するまでの規定端末プレビュー画像処理能力を前記端末プレビュー画像処理能力として取得することを特徴とする請求項１または請求項２記載の画像出力システム。
【請求項４】
前記装置プレビュー処理能力取得手段は、
所定の画像データ量を有する規定画像データから規定プレビュー画像を前記装置プレビュー画像作成手段が作成するまでの規定プレビュー画像作成能力と、該規定プレビュー画像を前記通信回路を通して前記携帯端末装置への送信が完了するまでの規定通信能力と、を合わせた規定装置プレビュー画像処理能力を前記装置プレビュー画像処理能力として取得し、
前記端末プレビュー処理能力取得手段は、
所定の画像データ量を有する規定画像データから規定プレビュー画像を前記端末プレビュー画像作成手段が作成して前記表示手段に表示するまでの規定端末プレビュー画像処理能力を前記端末プレビュー画像処理能力として取得し、
前記プレビュー作成先決定手段は、
前記装置プレビュー処理能力取得手段が取得した前記装置プレビュー画像処理能力及び前記端末プレビュー処理能力取得手段が取得した前記規定端末プレビュー画像処理能力を、所定の記憶手段に保管し、該記憶手段の該規定装置プレビュー画像処理能力と該規定端末プレビュー画像処理能力及びプレビュー対象の前記画像データからプレビュー画像の作成先を決定することを特徴とする請求項１記載の画像出力システム。
【請求項５】
前記端末プレビュー処理能力取得手段は、
前記携帯端末装置の稼働状況を前記端末プレビュー画像処理能力の判定材料として取得し、
前記装置プレビュー処理能力取得手段は、
前記画像出力装置の稼働状況を前記装置プレビュー画像処理能力の判定材料として取得し、
前記プレビュー作成先決定手段は、
前記端末プレビュー画像処理能力と前記装置プレビュー画像処理能力及び前記携帯端末装置の稼働状況と前記画像出力装置の稼働状況に基づいて、プレビュー画像の作成先を決定することを特徴とする請求項１から請求項４のいずれかに記載の画像出力システム。
【請求項６】
画像データを保管するデータ保管手段と、
所定の表示手段と、
前記データ保管手段の前記画像データに基づいて前記表示手段に表示するプレビュー画像を作成する端末プレビュー画像作成手段と、
前記端末プレビュー画像作成手段が前記画像データからプレビュー画像を作成して前記表示手段に表示するまでの端末プレビュー画像処理能力を取得する端末プレビュー処理能力取得手段と、
前記画像データを保管して該画像データに対する出力要求を受け付けて該画像データを画像出力するとともに、プレビュー要求を受け付けて該画像データからプレビュー画像を作成して該プレビュー要求元に送信する装置プレビュー画像作成手段を有する画像出力装置と有線または無線の通信回線で通信する通信手段と、
前記画像出力装置へのプレビュー要求に基づいて該画像出力装置から前記装置プレビュー画像作成手段で前記プレビュー画像が作成されて送信されてきて前記表示手段に表示するまでの装置プレビュー画像処理能力を取得する装置プレビュー処理能力取得手段と、
前記装置プレビュー画像処理能力と前記端末プレビュー画像処理能力に基づいて、前記装置プレビュー画像作成手段と前記端末プレビュー画像作成手段のいずれで前記画像データのプレビュー画像を作成するかを決定するプレビュー作成先決定手段と、
を備えていることを特徴とする携帯端末装置。
【請求項７】
画像データを保管するデータ保管手段の前記画像データに基づいて所定の表示手段に表示するプレビュー画像を作成する端末プレビュー画像作成処理ステップと、
前記端末プレビュー画像作成処理ステップで前記画像データからプレビュー画像が作成されて前記表示手段に表示されるまでの端末プレビュー画像処理能力を取得する端末プレビュー処理能力取得処理ステップと、
前記画像データを保管して該画像データに対する出力要求を受け付けて該画像データを画像出力するとともに、プレビュー要求を受け付けて該画像データからプレビュー画像を作成して該プレビュー要求元に送信する装置プレビュー画像作成処理ステップを有する画像出力装置と有線または無線の通信回線で通信する通信処理ステップと、
前記画像出力装置へのプレビュー要求に基づいて該画像出力装置から前記装置プレビュー画像作成処理ステップで前記プレビュー画像が作成されて送信されてきて前記表示手段に表示するまでの装置プレビュー画像処理能力を取得する装置プレビュー処理能力取得処理ステップと、
前記装置プレビュー画像処理能力と前記端末プレビュー画像処理能力に基づいて、前記装置プレビュー画像作成処理ステップと前記端末プレビュー画像作成処理ステップのいずれで前記画像データのプレビュー画像を作成するかを決定するプレビュー作成先決定処理ステップと、
を有していることを特徴とするプレビュー画像作成制御方法。
【請求項８】
制御プロセッサに、
画像データを保管するデータ保管手段の前記画像データに基づいて所定の表示手段に表示するプレビュー画像を作成する端末プレビュー画像作成処理と、
前記端末プレビュー画像作成処理で前記画像データからプレビュー画像が作成されて前記表示手段に表示されるまでの端末プレビュー画像処理能力を取得する端末プレビュー処理能力取得処理と、
前記画像データを保管して該画像データに対する出力要求を受け付けて該画像データを画像出力するとともに、プレビュー要求を受け付けて該画像データからプレビュー画像を作成して該プレビュー要求元に送信する装置プレビュー画像作成処理を実行する画像出力装置と有線または無線の通信回線で通信する通信処理と、
前記画像出力装置へのプレビュー要求に基づいて該画像出力装置から前記装置プレビュー画像作成処理で前記プレビュー画像が作成されて送信されてきて前記表示手段に表示するまでの装置プレビュー画像処理能力を取得する装置プレビュー処理能力取得処理と、
前記装置プレビュー画像処理能力と前記端末プレビュー画像処理能力に基づいて、前記装置プレビュー画像作成処理と前記端末プレビュー画像作成処理のいずれで前記画像データのプレビュー画像を作成するかを決定するプレビュー作成先決定処理と、
を実行させることを特徴とするプレビュー画像作成制御プログラム。
【請求項９】
画像データから所定の表示手段に表示するプレビュー画像を作成する端末プレビュー画像作成手段を有する携帯端末装置と、画像データから該表示手段に表示するプレビュー画像を作成する装置プレビュー画像作成処理を実行する画像出力装置が有線または無線の通信回線で接続されて、該携帯端末装置と該画像出力装置に同じ画像データが保管されている状態で、該携帯端末装置から該画像出力装置に画像出力を要求する前に、該画像データを画像出力したときのプレビュー画像を、該携帯端末装置の該表示手段に表示させる画像プレビューシステムであって、
前記携帯端末装置は、
制御プロセッサに、
画像データを保管するデータ保管手段の前記画像データに基づいて前記表示手段に表示するプレビュー画像を作成する端末プレビュー画像作成処理と、
前記端末プレビュー画像作成処理で前記画像データからプレビュー画像が作成されて前記表示手段に表示されるまでの端末プレビュー画像処理能力を取得する端末プレビュー処理能力取得処理と、
前記画像データを保管して該画像データに対する出力要求を受け付けて該画像データを画像出力するとともに、プレビュー要求を受け付けて前記装置プレビュー画像作成処理で該画像データからプレビュー画像を作成して該プレビュー要求元に送信する前記画像出力装置と前記通信回線で通信する通信処理と、
前記画像出力装置へのプレビュー要求に基づいて該画像出力装置から前記装置プレビュー画像作成処理で前記プレビュー画像が作成されて送信されてきて前記表示手段に表示するまでの装置プレビュー画像処理能力を取得する装置プレビュー処理能力取得処理と、
前記装置プレビュー画像処理能力と前記端末プレビュー画像処理能力に基づいて、前記装置プレビュー画像作成処理と前記端末プレビュー画像作成処理のいずれで前記画像データのプレビュー画像を作成するかを決定するプレビュー作成先決定処理と、
を実行させるプレビュー画像作成制御プログラムを搭載していることを特徴とする画像プレビューシステム。
【発明の詳細な説明】
【技術分野】
【０００１】
本発明は、画像出力システム、携帯端末装置、プレビュー画像作成制御方法、プレビュー画像作成制御プログラム及び画像プレビューシステムに関し、詳細には、携帯端末装置と画像出力装置のうち速い方でプレビュー画像を作成して携帯端末装置で表示する画像出力システム、携帯端末装置、プレビュー画像作成制御方法、プレビュー画像作成制御プログラム及び画像プレビューシステムに関する。
【背景技術】
【０００２】
近年、プリンタ装置、複合装置等の画像処理装置においては、有線、無線の通信回線を介して複数のコンピュータ、携帯端末装置等のホスト装置から画像データを受け取って、受け取った画像データに基づいて、印刷出力やデータ転送等の画像出力処理を行なっている。
【０００３】
特に、近年では、ブルーツース、ｗｉｆｉ（wireless fidelity）等の無線通信技術の発達と携帯端末装置の発達によって、携帯端末装置と画像処理装置が無線通信によって容易に接続可能となり、種々の画像処理環境が形成されて、画像処理されるようになってきている。
【０００４】
従来から、携帯端末装置から画像処理装置に対して画像データを指定して画像処理を行なわせる場合、画像処理結果を確認するために、画像出力条件に応じた画像出力（例えば、印刷出力）を行ったとした場合のプレビュー画像を携帯端末装置の表示部に表示させることが行なわれている。
【０００５】
そして、従来、携帯端末装置から画像処理装置に画像データを送信したり、データ蓄積装置から指定の画像データを画像処理装置に送信させたりして、画像処理装置に一旦保管された画像データを携帯端末装置から指定して画像出力させる場合に、該画像処理装置でプレビュー画像を作成して、携帯端末装置に送信し、携帯端末装置で該プレビュー画像を表示して、画像出力状態を確認できるようにしている（特許文献１等参照）。
【発明の概要】
【発明が解決しようとする課題】
【０００６】
しかしながら、上記従来技術にあっては、画像処理装置でプレビュー画像を作成して、携帯端末装置に送信し、携帯端末装置で該プレビュー画像を受信して表示出力しているため、効率的かつ速やかにプレビュー画像を携帯端末装置で表示させる上で、改良の必要があった。
【０００７】
すなわち、近年、携帯端末装置においても、高性能なプロセッサを搭載するようになってきており、携帯端末装置自体においてもプレビュー画像を作成して表示させる機能を搭載していることも多くなってきている。
【０００８】
したがって、携帯端末装置から画像処理装置に画像データを送信して、あるいは、画像データを保管するデータ蓄積部から画像データを取得して、画像処理装置に画像出力処理を行なわせる前に、画像出力結果の画像状態を確認するために携帯端末装置で表示するプレビュー画像を、作成することも容易となってきているため、常に画像処理装置で、プレビュー画像を作成して、携帯端末装置に送信して、該プレビュー画像を携帯端末装置で表示するという方法を見なおす必要が生じている。
【０００９】
そこで、本発明は、携帯端末装置と画像出力装置とが画像データを保管している場合の携帯端末装置でのプレビュー画像の表示を速やかに行うことを目的としている。
【課題を解決するための手段】
【００１０】
上記目的を達成するために、請求項１記載の画像出力システムは、携帯端末装置と画像出力装置が有線または無線の通信回線で接続されて、該携帯端末装置と該画像出力装置に同じ画像データが保管されている状態で、該携帯端末装置から該画像出力装置に画像出力を要求する前に、該画像データを画像出力したときのプレビュー画像を、該携帯端末装置の表示手段に表示させる画像出力システムであって、前記画像出力装置の保管している前記画像データからプレビュー画像を作成する装置プレビュー画像作成手段と、前記携帯端末装置の保管している前記画像データからプレビュー画像を作成する端末プレビュー画像作成手段と、前記装置プレビュー画像作成手段が前記画像出力装置の前記画像データからプレビュー画像の作成を開始してから前記携帯端末装置へ該プレビュー画像が提供されて該携帯端末装置の前記表示手段への表示が完了するまでの装置プレビュー画像処理能力を取得する装置プレビュー処理能力取得手段と、前記端末プレビュー画像作成手段が前記携帯端末装置の前記画像データからプレビュー画像の作成を開始してから該携帯端末装置の前記表示手段へ表示させるまでの端末プレビュー画像処理能力を取得する端末プレビュー処理能力取得手段と、前記装置プレビュー画像処理能力と前記端末プレビュー画像処理能力に基づいて、前記装置プレビュー画像作成手段と前記端末プレビュー画像作成手段のいずれで前記画像データのプレビュー画像を作成するかを決定するプレビュー作成先決定手段と、を備えていることを特徴としている。
【発明の効果】
【００１１】
本発明によれば、携帯端末装置と画像出力装置とが画像データを保管している場合の携帯端末装置でのプレビュー画像の表示を速やかに行うことができる。
【図面の簡単な説明】
【００１２】
【図１】本発明の一実施例を適用した画像出力システムの構成図。
【図２】複合装置のブロック構成図。
【図３】複合装置のコントローラの機能ブロック構成図。
【図４】携帯端末装置のブロック構成図。
【図５】携帯端末装置の機能ブロック構成図。
【図６】規定端末プレビュー画像処理能力決定処理を示すフローチャート。
【図７】プレビュー画像を携帯端末装置で作成する場合の画像出力処理のシーケンス図。
【図８】プレビュー画像を複合装置で作成する場合の画像出力処理のシーケンス図。
【図９】プレビュー画像作成先決定処理を示すフローチャート。
【図１０】プレビュー画像処理能力が高い複合装置で他の処理を行なっているか否かを考慮したプレビュー画像作成先決定処理を示すフローチャート。
【図１１】携帯端末装置と複合装置が他の処理を行なっていることを考慮したプレビュー画像作成先決定処理を示すフローチャート。
【図１２】規定プレビュー画像処理能力テーブルの一例を示す図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図１２は、本発明の画像出力システム、携帯端末装置、プレビュー画像作成制御方法、プレビュー画像作成制御プログラム及び画像プレビューシステムの一実施例を示す図であり、図１は、本発明の画像出力システム、携帯端末装置、プレビュー画像作成制御方法、プレビュー画像作成制御プログラム及び画像プレビューシステムの一実施例を適用した画像出力システム１のシステム構成図である。
【００１５】
図１において、画像出力システム１は、複合装置（画像出力装置）ＭＦと携帯端末装置ＫＴが有線または無線の通信回線ＮＷで接続されており、複合装置ＭＦと携帯端末装置ＫＴが、通信回線ＮＷを介して画像データやその他のデータ及び各種信号の授受を行う。
【００１６】
この通信回線ＮＷは、有線または無線のＬＡＮ（Local Area Network）、音声接続等種々の通信回線を用いることができる。
【００１７】
画像出力システム１は、少なくとも、携帯端末装置ＫＴから画像データを複合装置ＭＦに送信して、または、複合装置ＭＦと携帯端末装置ＫＴの双方が通信回線ＮＷとしてのＬＡＮ（Local Area Network）等のネットワークに接続されていて、該ネットワークに接続されている画像データを格納している他の複合装置、複写装置、コンピュータ等の画像処理装置から複合装置ＭＦと携帯端末装置ＫＴに同じ画像データを送信させて、複合装置ＭＦと携帯端末装置ＫＴが同じ画像データを保管している状態で、携帯端末装置ＫＴに該画像データの画像出力時のプレビュー画像を表示する場合に、複合装置ＭＦと携帯端末装置ＫＴのいずれでプレビュー画像を作成する方が速いかを調べて、速い方でプレビュー画像を作成する。
【００１８】
そして、複合装置ＭＦは、図２に示すようにブロック構成されており、コントローラ１１、エンジン１２、オペレーションパネル１３等を備えている。
【００１９】
コントローラ１１は、そのとき設定されている制御モード及び携帯端末装置ＫＴあるいはその他のネットワーク端末（以下、説明を明確にするために、携帯端末装置ＫＴのみを取り上げて説明する。）からの制御コードに従って、携帯端末装置ＫＴからの画像データを、描画データに変換してエンジン１２に出力し、また、エンジン１２のスキャナエンジンから入力される画像データに必要な画像処理を施して、携帯端末装置ＫＴやその他の端末装置に送信する制御機構の総称である。コントローラ１１は、ＣＰＵ（Central Processing Unit ）２１、ＲＯＭ（Read Only Memory）２２、ＲＡＭ（Random Access Memory）２３、メモリアービタ２４、ＮＶＲＡＭ（Non-Volatile Random Access Memory）２５、ネットワークＩ／Ｆ（インターフェイス）２６、エンジンＩ／Ｆ２７、パネルＩ／Ｆ２８及び図示しないハードディスク（ＨＤＤ）等を備えていて、各部は、バス２９で接続されている。
【００２０】
ネットワークＩ／Ｆ２６には、有線または無線の上記通信回線ＮＷを介して携帯端末装置ＫＴが接続され、ネットワークＩ／Ｆ２６は、通信回線ＮＷを介して携帯端末装置ＫＴから送信されてくる制御信号及びデータ（画像データ等）等を受け取るとともに、複合装置ＭＦから携帯端末装置ＫＴに各種制御信号及び画像データやその他の情報（プレビュー画像データ、装置プレビュー画像処理能力）等の送り出しを行うインターフェイスである。
【００２１】
ＲＯＭ２２は、コントローラ１１内でのデータの処理や管理及び周辺モジュールを制御するためのプログラム、具体的には、複合装置ＭＦとしての基本処理プログラム及び本発明のプレビュー画像作成制御方法のうち複合装置ＭＦで実行する必要な処理を実行するための画像出力装置側プレビュー画像作成制御プログラム等の各種プログラムを格納しているとともに、これらの各プログラムを実行するのに必要な各種データを格納している。
【００２２】
ＣＰＵ２１は、ＲＯＭ２２に格納されているプログラムに基づいて、ＲＡＭ２３をワークメモリ及びフレームメモリとして利用しつつ、複合装置ＭＦの各部を制御して、印刷処理、スキャナ処理等の画像処理を行うとともに、後述するプレビュー画像作成制御方法のうち画像出力装置として必要な処理を実行する。
【００２３】
ＲＡＭ２３は、ＣＰＵ２１のワークメモリとして利用されるとともに、携帯端末装置ＫＴからの画像データやエンジン１２のスキャナで読み取られた画像データをページ単位に管理して一時記憶するフレームメモリ及びフレームメモリに記憶されたデータを実際の印刷に適した描画データに変換して展開されるビットマップメモリ等として利用される。ＲＡＭ２３は、この画像データまたは画像データから変換された描画データ、あるいは、中間データ、または、画像データ、プレビュー画像データを、複数ページ分蓄積する容量を有している。
【００２４】
メモリアービタ２４は、ＲＡＭ２３をアクセスする必要のあるＣＰＵ２１やハードディスク、バス２９からのアクセス要求を調停する。
【００２５】
ＮＶＲＡＭ２５は、複合装置ＭＦの電源が切られているときにも記憶内容を保持するメモリであり、複合装置ＭＦの電源がオフの際にも保持する必要のあるシステム設定値、複合装置ＭＦとしての後述する装置プレビュー画像処理能力情報等がＣＰＵ２１の制御下で格納される。
【００２６】
エンジンＩ／Ｆ２７には、エンジン１２が接続されており、エンジンＩ／Ｆ２７は、コントローラ１１からエンジン１２への制御信号や描画データの出力及びエンジン１２からコントローラ１１へのステータス信号や読み取り結果である画像データの受け取りを行う。
【００２７】
エンジン１２は、プリンタエンジンやスキャナエンジン等を備えており、プリンタエンジンとしては、例えば、電子写真方式プリンタエンジン、インク噴射式プリンタエンジン等のプリンタエンジンが使用されている。
【００２８】
エンジン１２のプリンタエンジンは、電子写真方式のプリンタエンジンの場合、図示しないが、電子写真方式で用紙に画像データ（描画データ）を記録出力するのに必要な部品、例えば、感光体、帯電部、光書込部、現像部、転写部及びクリーニング部等を備えており、描画データ及び制御信号により光書込部を動作させて感光体上に静電潜像を形成して、現像部によりトナーを感光体上に供給して現像してトナー画像を形成する。プリンタエンジンは、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。
【００２９】
また、エンジン１２のスキャナエンジンは、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつスキャナエンジンの原稿読み取り位置に送給する。スキャナエンジンは、ＡＤＦから搬送されてきた原稿を主走査及び副走査して原稿の濃淡情報から画像を所定の解像度で読み取って、例えば、ＲＧＢ各所定ビット（例えば、各８ビット）の画像データを作成してコントローラ１１に出力する。なお、スキャナエンジンは、ＣＣＤを用いたものに限るものではなく、例えば、ＣＩＳ（Contact Image Sensor：密着イメージセンサ）やＣＭＯＳ（Complementary Metal Oxide Semiconductor ）を用いたものであってもよい。
【００３０】
パネルＩ／Ｆ２８には、オペレーションパネル１３が、ＵＳＢ（Universal Serial Bus）またはシリアルケーブル等によって接続されており、パネルＩ／Ｆ２８は、ＣＰＵ１１とオペレーションパネル１３との間の信号の授受を行う。
【００３１】
オペレーションパネル１３は、テンキー、スタートキー、モードを選択するモード選択キー等の各種操作キーを備えるとともに、タッチパネル付き液晶表示部等の表示部を備えている。オペレーションパネル１３は、操作キーのキー操作や表示部のタッチ操作によって、プリント操作等の各種命令や各種情報等が表示される。
【００３２】
ハードディスクは、エンジン１２のスキャナエンジンで読み取られた原稿の画像データ、展開された画像データや携帯端末装置ＫＴから送られてきた画像データ、プレビュー画像データ等をＣＰＵ１１の制御下で蓄積し、また、読み出される。
【００３３】
そして、コントローラ１１は、上記基本プログラム及び画像出力装置側プレビュー画像作成制御プログラムが導入されることで、図３に示すような機能ブロックが構築され、システムコントロール機能部３１、ネットワークＩ／Ｆ機能部３２、ＰＤＬ（Page Description Language：ページ記述言語）機能部３３、エンジンＩ／Ｆ機能部３４及びパネルＩ／Ｆ機能部３５等が構築されている。
【００３４】
システムコントロール機能部３１は、複合装置ＭＦ全体の制御を行なって、複合装置ＭＦとしての基本処理及び上記本発明のプレビュー画像作成制御方法のうち複合装置ＭＦで実行する必要な処理の実行を制御する。
【００３５】
ネットワークＩ／Ｆ機能部３２は、携帯端末装置ＫＴから送信されてくる制御信号及びデータ（画像データ等）を受け取ってシステムコントロール機能部３１に渡すとともに、複合装置ＭＦから携帯端末装置ＫＴに送信するステータス信号、装置プレビュー画像処理能力、プレビュー画像データ等をシステムコントロール機能部３１から受け取って携帯端末装置ＫＴに送信する。
【００３６】
ＰＤＬ機能部３３は、画像データを受け取って描画データを作成して、システムコントロール機能部３１に渡し、また、画像データから携帯端末装置ＫＴで表示するプレビュー画像を作成して、システムコントロール機能部３１に渡す。具体的には、ＰＤＬ機能部３３は、ＰＣＬ（Printer Control Language）／ＰＳ（Post Script）／ＲＰＣＳ（Refined Printing Command Stream）等の複数のプリンタ言語エミュレーションを搭載しており、複合装置ＭＦから送られてきた画像データのＰＪＬコマンドの解釈及びＰＤＬコマンドの解釈を行って、描画データを作成、また、プレビュー画像であって画像出力条件及び携帯端末装置ＫＴの低４４の解像度等に応じたプレビュー画像を作成して、システムコントロール機能部３１に渡す。特に、ＰＤＬ機能部３３は、ＲＡＭ２３等に格納されている画像データから携帯端末装置ＫＴで表示するためのプレビュー画像を作成して、システムコントロール機能部３１に渡す。システムコントロール機能部３１は、ＰＤＬ機能部３３から受け取ったプレビュー画像をネットワークＩ／Ｆ機能部３２を介して通信回線ＮＷを経由させて携帯端末装置ＫＴに送信する。したがって、ＰＤＬ機能部３３は、装置プレビュー画像作成手段として機能している。
【００３７】
パネルＩ／Ｆ機能部３５は、システムコントロール機能部３１の制御下で、オペレーションパネル１３の制御を行う。
【００３８】
エンジンＩ／Ｆ機能部３４は、システムコントロール機能部３１の制御下で、エンジン１２の動作制御を行う。
【００３９】
複合装置ＭＦは、複合装置ＭＦで作成したプレビュー画像を携帯端末装置ＫＴのディスプレイ４４で表示させる場合、ＰＤＬ機能部３３が携帯端末装置ＫＴの解像度に応じてプレビュー画像を作成するデバイスとしての処理能力と、作成したプレビュー画像をシステムコントロール機能部３１の制御下で、ネットワークＩ／Ｆ機能部３２から通信回線ＮＷを通して携帯端末装置ＫＴに送信して、携帯端末装置ＫＴが受け取ったプレビュー画像をディスプレイ４４に表示させるまでの通信能力と、が影響する。そこで、複合装置ＭＦは、予め所定のデータ量のリファレンス画像データ（規定画像データ）から規定プレビュー画像を作成して、作成した該規定プレビュー画像を携帯端末装置ＫＴに送信してディスプレイ４４に表示させたときに該規定プレビュー画像の作成開始からディスプレイ４４に表示されるまでの経過時間を計測し、該経過時間から規定プレビュー画像処理能力を取得して、ＮＶＲＡＭ２５等に保管している。具体的には、複合装置ＭＦは、ＰＤＬ機能部３３が複合装置ＭＦが保管している画像データからプレビュー画像の作成を開始してから携帯端末装置ＫＴへ該プレビュー画像が提供されて携帯端末装置ＫＴのディスプレイ４４への表示が完了するまでの装置プレビュー画像処理能力を取得して、ＮＶＲＡＭ２５等に保管している。
【００４０】
そして、携帯端末装置ＫＴは、ＯＳとしてAndroid（登録商標）、IOS（登録商標）、windows（登録商標）等を搭載したスマートフォンやタブレット等の携帯性を有する端末装置であり、図４に示すようにハードウェアがブロック構成されていて、ＣＰＵ４１、ＲＯＭ４２、ＲＡＭ４３、ディスプレイ４４、ネットワークＩ／Ｆ４５及び入力Ｉ／Ｆ４６等を備えている。携帯端末装置ＫＴは、各部がバス４７により接続されている。
【００４１】
ネットワークＩ／Ｆ４５は、ＣＰＵ４１の制御下で、通信回線ＮＷを介して複合装置ＭＦと通信し、複合装置ＭＦに画像データや制御信号を送信したり、各種制御信号を送信する。また、ネットワークＩ／Ｆ４５は、複合装置ＭＦから送信されてくる制御信号及びデータ（プレビュー画像データ等）を受け取ってＣＰＵ４１に渡す。特に、ネットワークＩ／Ｆ４５は、ＣＰＵ４１の制御下で、装置プレビュー画像処理能力情報、すなわち、ＰＤＬ機能部３３が複合装置ＭＦの保管している画像データからプレビュー画像の作成を開始してから携帯端末装置ＫＴへ該プレビュー画像の提供が完了するまでの装置プレビュー画像処理能力を取得し、装置プレビュー処理能力取得手段及び通信手段として機能している。
【００４２】
ＲＯＭ４２は、ＯＳ及び携帯端末装置ＫＴとしての基本プログラム及び本発明のプレビュー画像作成制御方法のうち携帯端末装置ＫＴで実行する必要のある処理を実行するための端末側プレビュー画像作成制御プログラム等の各種プログラムを格納しているとともに、これらの各プログラムを実行するのに必要な各種データを格納している。特に、ＲＯＭ４２は、携帯端末装置ＫＴのプレビュー画像処理能力、すなわち、画像データからプレビュー画像の作成を開始してからディスプレイ４４へ表示させるまでの端末プレビュー画像処理能力、及び、複合装置ＭＦから取得した装置プレビュー画像処理能力、すなわち、複合装置ＭＦのＰＤＬ機能部３３が複合装置ＭＦの保管している画像データからプレビュー画像の作成を開始してから携帯端末装置ＫＴへの該プレビュー画像の提供が完了するまでの装置プレビュー画像処理能力を保管している。携帯端末装置ＫＴは、この装置プレビュー画像処理能力を適時に複合装置ＭＦから取得してＲＯＭ４２等に保管している。
【００４３】
ＣＰＵ４１は、ＲＯＭ４２内のプログラムに基づいて、ＲＡＭ４３をワークメモリとして利用しつつ携帯端末装置ＫＴの各部を制御して、携帯端末装置ＫＴとしての基本処理を実行するとともに、本発明のプレビュー画像作成処理を実行する。
【００４４】
特に、ＣＰＵ４１は、携帯端末装置ＫＴがＲＡＭ４３等に保管している画像データからプレビュー画像を作成し、また、該画像データからプレビュー画像の作成を開始してからディスプレイ４４へ表示させるまでの端末プレビュー画像処理能力を取得する。したがって、ＣＰＵ４１は、端末プレビュー画像作成手段及び端末プレビュー処理能力取得手段として機能している。
【００４５】
さらに、ＣＰＵ４１は、ネットワークＩ／Ｆ４５が取得した上記装置プレビュー画像処理能力に基づいて、複合装置ＭＦで画像データからプレビュー画像を作成して通信回線ＮＷを介して携帯端末装置ＫＴに送信してディスプレイ４４に表示させるまでの装置プレビュー画像処理能力と上記端末プレビュー画像処理能力を比較して、複合装置ＭＦと携帯端末装置ＫＴのいずれで該画像データのプレビュー画像を作成するかを決定する。
【００４６】
ＲＡＭ（データ保管手段）４３は、ＣＰＵ４１のワークメモリとして利用されるとともに、複合装置ＭＦに画像出力要求する画像データ、複合装置ＭＦから送信されてきたプレビュー画像データ等を記憶する。
【００４７】
ディスプレイ（表示手段）４４は、例えば、ＬＣＤ（Liquid Crystal Display）にタッチパネルが積層されたディスプレイが用いられており、ＣＰＵ４１の制御下で、各種情報の表示、機能ボタンの表示及びプレビュー画像の表示を行う。
【００４８】
入力Ｉ／Ｆ４６は、物理キーやディスプレイ４４の機能キー及びその他の入力デバイスからの入力信号を受け付けて、受け付けた入力信号をＣＰＵ４１に渡す。
【００４９】
そして、携帯端末装置ＫＴは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明のプレビュー画像作成制御方法を実行するプレビュー画像作成制御プログラムを読み込んで、ＲＯＭ４２等に導入することで、後述する携帯端末装置ＫＴと複合装置ＭＦのうちプレビュー画像を作成してディスプレイ４４に表示するまでの処理時間の短い方で作成するプレビュー画像作成制御方法を実行する携帯端末装置として構築されている。このプレビュー画像作成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００５０】
そして、携帯端末装置ＫＴは、このプレビュー画像作成制御プログラムが導入されることで、図５に示すような機能ブロックが構築され、プレビュー管理機能部５１、画面制御機能部５２、画面表示機能部５３、ネットワークＩ／Ｆ機能部５４及びユーザＩ／Ｆ機能部５５等が構築される。
【００５１】
ネットワークＩ／Ｆ機能部５４は、プレビュー管理機能部５１の制御下で、上記装置プレビュー画像処理能力情報、すなわち、ＰＤＬ機能部３３が複合装置ＭＦの保管している画像データからプレビュー画像の作成を開始してから携帯端末装置ＫＴへの該プレビュー画像の提供が完了するまでの装置プレビュー画像処理能力を取得する装置プレビュー処理能力取得手段として機能する。
【００５２】
ユーザＩ／Ｆ機能部５５は、物理キーやディスプレイ４４の機能キー及びその他の入力デバイスからの入力信号を受け付けて、受け付けた入力信号をプレビュー管理機能部５１に渡す。
【００５３】
プレビュー管理機能部５１は、携帯端末装置ＫＴが保管している画像データからプレビュー画像を作成する端末プレビュー画像作成手段として機能し、また、該画像データからプレビュー画像の作成を開始してからディスプレイ４４へ表示させるまでの端末プレビュー画像処理能力を取得する端末プレビュー処理能力取得手段として機能する。さらに、プレビュー管理機能部５１は、ネットワークＩ／Ｆ機能部５４が取得した上記装置プレビュー画像処理能力と端末プレビュー画像処理能力に基づいて、複合装置ＭＦと携帯端末装置ＫＴのいずれで該画像データのプレビュー画像を作成するかを決定する。したがって、ＣＰＵ４１で構築されるプレビュー管理機能部５１は、プレビュー作成先決定手段として機能している。
【００５４】
そして、プレビュー管理機能部５１は、上記端末プレビュー画像処理能力及び装置プレビュー画像処理能力については、所定のデータ量の規定画像データからプレビュー画像を作成して、ディスプレイ４４に表示するまでの規定端末プレビュー画像処理能力及び規定装置プレビュー画像処理能力を求めて、ＲＯＭ４２等に記憶しておき、これらの規定端末プレビュー画像処理能力及び規定装置プレビュー画像処理能力から単純に、複合装置ＭＦと携帯端末装置ＫＴのいずれでプレビュー画像を作成するかを決定してもよいし、これらの規定端末プレビュー画像処理能力及び規定装置プレビュー画像処理能力に、プレビュー画像作成対象の画像データから端末プレビュー処理能力及び装置プレビュー処理能力を求めて、複合装置ＭＦと携帯端末装置ＫＴのいずれでプレビュー画像を作成するかを決定してもよい。さらに、プレビュー管理機能部５１は、これら端末プレビュー画像処理能力及び装置プレビュー画像処理能力を、端末プレビュー画像処理時間及び装置プレビュー画像処理時間に換算して、プレビュー画像の作成先を決定してもよい。また、プレビュー管理機能部５１は、これら端末プレビュー画像処理能力及び装置プレビュー画像処理能力を、数値化して、数値の比較によってプレビュー画像の作成先を決定してもよい。
【００５５】
画面表示機能部５３は、ディスプレイ４４で構築され、各種情報の表示、機能ボタンの表示及びプレビュー画像の表示を行う表示手段として機能する。
【００５６】
画面制御機能部５２は、プレビュー画像機能部５１の制御下で、画面表示機能部５３を制御して、各種情報、特に、プレビュー画像の表示を行なわせる。
【００５７】
そして、本実施例の画像出力システム１は、画像データからディスプレイ４４に表示するプレビュー画像を作成するプレビュー管理機能部（端末プレビュー画像作成手段）５１を有する携帯端末装置ＫＴと、画像データから該ディスプレイ４４に表示するプレビュー画像を作成するＰＤＬ機能部（装置プレビュー画像作成手段）３３を有する複合装置ＭＦが有線または無線の通信回線ＮＷで接続されて、該携帯端末装置ＫＴと該複合装置ＭＦに同じ画像データが保管されている状態で、該携帯端末装置ＫＴから該複合装置ＭＦに画像出力を要求する前に、該画像データを画像出力したときのプレビュー画像を、該携帯端末装置ＫＴの該ディスプレイ４４に表示させる画像プレビューシステムとしても機能している。そして、この画像プレビューシステムは、携帯端末装置ＫＴが、制御プロセッサであるＣＰＵ４１に、画像データを保管するＲＡＭ（データ保管手段）４３の画像データに基づいてディスプレイ４４に表示するプレビュー画像を作成する端末プレビュー画像作成処理と、該端末プレビュー画像作成処理で該画像データからプレビュー画像が作成されてディスプレイ４４に表示されるまでの端末プレビュー画像処理能力を取得する端末プレビュー処理能力取得処理と、前記画像データを保管して該画像データに対する出力要求を受け付けて該画像データを画像出力するとともに、プレビュー要求を受け付けて前記装置プレビュー画像作成処理で該画像データからプレビュー画像を作成して該プレビュー要求元に送信する複合装置ＭＦと通信回線ＮＷで通信する通信処理と、複合装置ＭＦへのプレビュー要求に基づいて該複合装置ＭＦから前記装置プレビュー画像作成処理で前記プレビュー画像が作成されて送信されてきてディスプレイ４４に表示するまでの装置プレビュー画像処理能力を取得する装置プレビュー処理能力取得処理と、前記装置プレビュー画像処理能力と前記端末プレビュー画像処理能力に基づいて、前記装置プレビュー画像作成処理と前記端末プレビュー画像作成処理のいずれで前記画像データのプレビュー画像を作成するかを決定するプレビュー作成先決定処理と、を実行させるプレビュー画像作成制御プログラムを搭載している。
【００５８】
次に、本実施例の作用について説明する。本実施例の画像出力システム１は、携帯端末装置ＫＴと複合装置ＭＦとが同じ画像データを保管している場合の該画像データに対する携帯端末装置ＫＴでのプレビュー画像の表示を速やかに行う。
【００５９】
まず、携帯端末装置ＫＴと複合装置ＭＦのプレビュー画像処理能力を決定する方法について説明する。
【００６０】
携帯端末装置ＫＴは、自己のプレビュー画像処理能力である端末プレビュー画像処理能力を求めるための基礎となる規定端末プレビュー画像処理能力を、該携帯端末装置ＫＴに本発明のプレビュー画像作成制御プログラムをインストールする際等の適宜のタイミングで、図６に示す規定端末プレビュー画像処理能力決定処理を行なって、決定する。
【００６１】
すなわち、携帯端末装置ＫＴは、ＲＯＭ４２等に予めデータ量の分かっているリファレンス画像データ（規定画像データ）が格納されており、プレビュー管理機能部５１が、図６に示すように、このリファレンス画像データからプレビュー画像の作成を開始するとともに、内部タイマによる作成時間の計時を開始する（ステップＳ１０１）。プレビュー管理機能部５１は、リファレンス画像データからプレビュー画像（規定プレビュー画像）を作成すると、作成した該プレビュー画像を画面制御機能部５２に渡して、画面制御機能部５２が画面表示機能部５３であるディスプレイ４４にプレビュー画像を表示させ、このプレビュー画像が画面表示機能部５３に表示されると、タイマによる作成時間の計時を停止して、計時した作成時間から規定端末プレビュー画像処理能力を算出して、算出した規定端末プレビュー画像処理能力情報をＲＯＭ４２等に格納する（ステップＳ１０２）。
【００６２】
携帯端末装置ＫＴは、上述のようにして、少なくとも規定端末プレビュー画像処理能力を保持している状態で、携帯端末装置ＫＴで作成、編集等を行った画像データ、または、図示しない他の複写装置、複合装置、スキャナ装置、コンピュータ等の画像処理装置から通信回線ＮＷを介して受け取って必要に応じて編集等を行った画像データを、印刷や転送等の画像出力を行なわせる画像出力装置を決定して、該画像出力装置に出力対象の画像データを送信する。いま、複合装置ＭＦが画像出力装置として決定され、画像データが通信回線ＮＷを介して送信されたものとする。
【００６３】
この状態で、携帯端末装置ＫＴは、図７に示すように、ユーザＵからプレビュー要求操作が入力Ｉ／Ｆ４６で行なわれて、ユーザＩ／Ｆ機能部５５が該プレビュー要求を受け取ると（Ｐ１）、プレビュー管理機能部５１がネットワークＩ／Ｆ機能部５４から通信回線ＮＷを通して複合装置ＭＦに、ディスプレイ４４の解像度や画像出力条件等の情報とともに、プレビュー画像処理能力要求を行なう（Ｐ２）。
【００６４】
複合装置ＭＦは、携帯端末装置ＫＴから解像度や画像出力条件等の情報とともにプレビュー画像処理能力要求があると、ＮＶＲＡＭ２５等に格納されている規定装置プレビュー画像処理能力のうち、該解像度に応じた規定装置プレビュー画像処理能力を取得して（Ｐ３）、該規定装置プレビュー画像処理能力を携帯端末装置ＫＴに送信する（Ｐ４）。
【００６５】
携帯端末装置ＫＴは、複合装置ＭＦから規定装置プレビュー画像処理能力を受信すると、プレビュー管理機能部５１が、ＲＯＭ４２に格納されている規定端末プレビュー画像処理能力を読み出して、該規定端末プレビュー画像処理能力からプレビュー対象の画像データをＲＡＭ４３から読み出してプレビュー画像を作成した後にディスプレイ４４に表示させるまでに要する端末プレビュー画像処理時間である端末プレビュー画像処理能力を算出するとともに、送信されてきた規定装置プレビュー画像処理能力から、複合装置ＭＦがプレビュー対象の画像データを、ＲＡＭ２３等から読み出してプレビュー画像を作成して、通信回線ＮＷを介して送信してきた後、該プレビュー画像をディスプレイ４４に表示するまでに要する装置プレビュー画像処理時間である装置プレビュー画像処理能力を算出し、端末プレビュー画像処理時間（端末プレビュー画像処理能力）と装置プレビュー画像処理時間（装置プレビュー画像処理能力）を比較して、速くプレビュー画像を表示できる方を、プレビュー画像作成先として決定する（Ｐ５）。
【００６６】
そして、図７の場合には、プレビュー管理機能部５１は、携帯端末装置ＫＴでプレビュー画像を作成した方が速いと判断して携帯端末装置ＫＴをプレビュー画像作成先として決定し、ＲＡＭ２３等に格納されている画像データからプレビュー画像を作成（作成）して（Ｐ６）、作成したプレビュー画像を画面制御機能部５２によって画面表示機能部５３であるディスプレイ４４に表示させる（Ｐ７）。
【００６７】
ユーザＵは、ディスプレイ４４に表示されたプレビュー画像を確認して、入力Ｉ／Ｆ４６で印刷依頼操作を行うと（Ｐ９）、ユーザＩ／Ｆ機能部５５が該操作を受けて、プレビュー管理機能部５１に通知し、プレビュー管理機能部５１がネットワークＮＷＩ／Ｆ機能部５４から通信回線ＮＷを介して複合装置ＭＦに画像データを指定した印刷依頼を行う（Ｐ１０）。
【００６８】
複合装置ＭＦは、印刷依頼があると、印刷依頼のあった画像データをエンジン１２で印刷処理する（Ｐ１１）。なお、上記説明では、画像出力処理として印刷出力する場合について説明しているが、画像出力としては、印刷出力に限るものではなく、転送出力、表示出力等であってもよい。
【００６９】
また、携帯端末装置ＫＴは、プレビュー画像を複合装置ＭＦで作成する場合には、図８に示すように画像出力処理を行う。なお、図８において、図７と同様の処理には、同一の処理ナンバーを付与して、その説明を省略または簡略化する。
【００７０】
図８において、携帯端末装置ＫＴは、ユーザＵからプレビュー要求操作が入力Ｉ／Ｆ４６で行なわれて、ユーザＩ／Ｆ機能部５５が該プレビュー要求を受け取ると（Ｐ１）、プレビュー管理機能部５１が通信回線ＮＷを通して複合装置ＭＦに、ディスプレイ４４の解像度等の情報とともに、プレビュー画像処理能力要求を行なう（Ｐ２）。
【００７１】
複合装置ＭＦは、携帯端末装置ＫＴから解像度や画像出力条件等の情報とともにプレビュー画像処理能力要求があると、ＮＶＲＡＭ２５等に格納されている規定装置プレビュー画像処理能力のうち、該解像度や画像出力条件に応じた規定装置プレビュー画像処理能力を取得して（Ｐ３）、該規定装置プレビュー画像処理能力を携帯端末装置ＫＴに送信する（Ｐ４）。
【００７２】
携帯端末装置ＫＴは、複合装置ＭＦから規定装置プレビュー画像処理能力を受信すると、プレビュー管理機能部５１が、送信されてきた規定装置プレビュー画像処理能力に基づいて、複合装置ＭＦがプレビュー対象の画像データからプレビュー画像を作成して、通信回線ＮＷを介して送信してきた後、該プレビュー画像をディスプレイ４４に表示するまでに必要な装置プレビュー画像処理能力を算出するとともに、規定端末プレビュー画像処理能力に基づいてプレビュー対象の画像データからプレビュー画像を作成してディスプレイ４４に表示させるまでに必要な端末プレビュー画像処理能力を算出し、端末プレビュー画像処理能力と装置プレビュー画像処理能力を比較して、速くプレビュー画像を表示できる方を、プレビュー画像作成先として決定する（Ｐ５）。
【００７３】
そして、図８の場合には、プレビュー管理機能部５１は、複合装置ＭＦでプレビュー画像を作成した方が速いと判断して、複合装置ＭＦをプレビュー画像作成先として決定し、複合装置ＭＦにプレビュー要求を送って（Ｐ２１）、複合装置ＭＦは、プレビュー要求に応じて、プレビュー対象の画像データを、ＲＡＭ２３等から読み出してプレビュー画像を作成して（Ｐ２２）、通信回線ＮＷを介して携帯端末装置ＫＴに送信する（Ｐ２３）。
【００７４】
携帯端末装置ＫＴは、複合装置ＭＦから送信されてきたプレビュー画像をディスプレイ４４に表示する（Ｐ７）。
【００７５】
ユーザＵは、ディスプレイ４４に表示されたプレビュー画像を確認して、入力Ｉ／Ｆ４６で印刷依頼操作を行うと（Ｐ９）、ユーザＩ／Ｆ機能部５５が該操作を受けて、プレビュー管理機能部５１に通知し、プレビュー管理機能部５１がネットワークＮＷＩ／Ｆ機能部５４から通信回線ＮＷを介して複合装置ＭＦに画像データを指定した印刷依頼を行う（Ｐ１０）。
【００７６】
複合装置ＭＦは、印刷依頼があると、印刷依頼のあった画像データをエンジン１２で印刷処理する（Ｐ１１）。なお、上記説明では、画像出力処理として印刷出力する場合について説明しているが、画像出力としては、印刷出力に限るものではなく、転送出力、表示出力等であってもよい。
【００７７】
そして、プレビュー管理機能部５１は、例えば、図９に示すようにプレビュー画像作成先を決定する。
【００７８】
すなわち、プレビュー管理機能部５１は、上述のようにして、規定端末プレビュー画像処理能力に基づいてプレビュー対象の画像データからプレビュー画像を作成してディスプレイ４４に表示させるまでに必要な端末プレビュー画像処理能力を算出するとともに、複合装置ＭＦから受信した規定装置プレビュー画像処理能力に基づいて、複合装置ＭＦがプレビュー対象の画像データからプレビュー画像を作成して、通信回線ＮＷを介して送信してきた後、該プレビュー画像をディスプレイ４４に表示するまでに必要な装置プレビュー画像処理能力を算出し、端末プレビュー画像処理能力と装置プレビュー画像処理能力を比較して携帯端末装置ＫＴのプレビュー画像処理能力が高いかチェックする（ステップＳ２０１）。
【００７９】
プレビュー管理機能部５１は、この端末プレビュー画像処理能力及び装置プレビュー画像処理能力を、数値化し、数値を比較する方法で、プレビュー画像の作成先を決定してもよい。また、プレビュー管理機能部５１は、端末プレビュー画像処理能力及び装置プレビュー画像処理能力を、プレビュー画像の作成を開始してからディスプレイ４４に表示を完了するまでの処理時間として求めて、処理時間を比較することで、プレビュー画像の作成先を決定してもよい。
【００８０】
ステップＳ２０１で、端末プレビュー画像処理能力のほうが高いとき（ステップＳ２０１で、ＹＥＳのとき）には、プレビュー管理機能部５１は、携帯端末装置ＫＴでプレビュー画像を作成することを決定する（ステップＳ２０２）。
【００８１】
ステップＳ２０１で、端末プレビュー画像処理能力よりも複合装置ＭＦの装置プレビュー画像処理能力の方が高いとき（ステップＳ２０１で、ＮＯのとき）には、プレビュー管理機能部５１は、複合装置ＭＦでプレビュー画像を作成することを決定する（ステップＳ２０３）。
【００８２】
また、プレビュー管理機能部５１は、プレビュー画像処理能力が複合装置ＭＦの方が高い場合に、図１０に示すように、該複合装置ＭＦで他の処理を行なっているか否かを考慮して、すなわち、プレビュー画像処理能力の判定材料として用いて、プレビュー画像作成先を決定してもよい。なお、図９と同様の処理ステップには、同一のステップナンバーを付与して、その説明を簡略化する。
【００８３】
すなわち、プレビュー管理機能部５１は、上述のようにして、端末プレビュー画像処理能力と装置プレビュー画像処理能力を比較して携帯端末装置ＫＴのプレビュー画像処理能力が高いかチェックする（ステップＳ２０１）。
【００８４】
ステップＳ２０１で、端末プレビュー画像処理能力のほうが高いとき（ステップＳ２０１で、ＹＥＳのとき）には、プレビュー管理機能部５１は、携帯端末装置ＫＴでプレビュー画像を作成することを決定する（ステップＳ２０２）。
【００８５】
ステップＳ２０１で、端末プレビュー画像処理能力よりも複合装置ＭＦの装置プレビュー画像処理能力の方が高いとき（ステップＳ２０１で、ＮＯのとき）には、プレビュー管理機能部５１は、複合装置ＭＦが他の動作処理、例えば、他の画像データの印刷動作中、スキャナ動作中等であるかチェックし（ステップＳ３０１）、複合装置ＭＦが他の動作処理中のとき（ステップＳ３０１で、ＹＥＳのとき）には、プレビュー画像作成処理能力が低下していると判断して、プレビュー管理機能部５１は、携帯端末装置ＫＴでプレビュー画像を作成することを決定する（ステップＳ２０２）。
【００８６】
ステップＳ３０１で、複合装置ＭＦが他の動作処理中でないとき（ステップＳ３０１で、ＮＯのとき）には、プレビュー管理機能部５１は、複合装置ＭＦでプレビュー画像を作成することを決定する（ステップＳ２０３）。
【００８７】
さらに、プレビュー管理機能部５１は、携帯端末装置ＫＴと複合装置ＭＦの双方が他の動作処理を行なっている場合を考慮して、図１１に示すように、プレビュー画像作成先を決定してもよい。
【００８８】
すなわち、プレビュー管理機能部５１は、まず、複合装置ＭＦに動作中か否かの問い合わせを行なって、該問い合わせの結果から携帯端末装置ＫＴと複合装置ＭＦの双方がプレビュー作成処理以外の他の動作処理を行なっているかチェックし（ステップＳ４０１）、双方が他の動作を行なっているとき（ステップＳ４０１で、ＹＥＳのとき）には、上述のようにして、端末プレビュー画像処理能力と装置プレビュー画像処理能力を比較して携帯端末装置ＫＴのプレビュー画像処理能力が高いかチェックする（ステップＳ４０２）。
【００８９】
ステップＳ４０２で、端末プレビュー画像処理能力の方が装置プレビュー画像処理能力よりも高いとき（ステップＳ４０２で、ＹＥＳのとき）には、プレビュー管理機能部５１は、携帯端末装置ＫＴでプレビュー画像を作成することを決定する（ステップＳ４０３）。
【００９０】
ステップＳ４０２で、端末プレビュー画像処理能力よりも装置プレビュー画像処理能力の方が高いとき（ステップＳ４０２で、ＮＯのとき）には、プレビュー管理機能部５１は、双方が他の処理を行なっているが、複合装置ＭＦの装置プレビュー画像処理能力の方が処理能力が高いため、複合装置ＭＦでプレビュー画像を作成することを決定する（ステップＳ４０５）。
【００９１】
ステップＳ４０１で、携帯端末装置ＫＴと複合装置ＭＦの双方が他の動作を行ってはいない、すなわち、携帯端末装置ＫＴと複合装置ＭＦのいずれかが他の動作を行なっているか、双方共に他の動作を行っていないとき（ステップＳ４０１で、ＮＯのとき）には、プレビュー管理機能部５１は、携帯端末装置ＫＴが他の動作中であるかチェックし（ステップＳ４０４）、携帯端末装置ＫＴが他の動作中であるときには、いま、複合装置ＭＦは他の動作を行なっておらず、複合装置ＭＦの方がプレビュー画像処理能力が高いと判断して、複合装置ＭＦでプレビュー画像を作成することを決定する（ステップＳ４０５）。
【００９２】
ステップＳ４０４で、携帯端末装置ＫＴが他の動作中でないとき（ステップＳ４０４で、ＮＯのとき）には、プレビュー管理機能部５１は、複合装置ＭＦが他の動作中であるかチェックし（ステップＳ４０６）、複合装置ＭＦが他の動作を行っているとき（ステップＳ４０６で、ＹＥＳのとき）には、いま、携帯端末装置ＫＴは動作を行なっておらず、携帯端末装置ＫＴの方がプレビュー画像処理能力が高いと判断して、携帯端末装置ＫＴでプレビュー画像を作成することを決定する（ステップＳ４０３）。
【００９３】
ステップＳ４０６で、複合装置ＭＦが他の動作中でないとき（ステップＳ４０６で、ＮＯのとき）には、携帯端末装置ＫＴも動作中ではないので、プレビュー管理機能部５１は、ステップＳ４０２に戻って、端末プレビュー画像処理能力と装置プレビュー画像処理能力を比較して携帯端末装置ＫＴのプレビュー画像処理能力が高いかチェックする（ステップＳ４０２）。
【００９４】
プレビュー管理機能部５１は、上記同様に、ステップＳ４０２で、端末プレビュー画像処理能力の方が装置プレビュー画像処理能力よりも高いときには、携帯端末装置ＫＴでプレビュー画像を作成することを決定し（ステップＳ４０３）、端末プレビュー画像処理能力よりも装置プレビュー画像処理能力の方が高いときには、複合装置ＭＦでプレビュー画像を作成することを決定する（ステップＳ４０５）。
【００９５】
そして、携帯端末装置ＫＴは、上述のようにして、種々の複合装置ＭＦに対して、プレビュー画像の表示を伴う画像出力処理を行うと、各複合装置ＭＦの規定装置プレビュー画像処理能力を取得することとなる。そこで、携帯端末装置ＫＴは、過去に取得した複合装置ＭＦの規定装置プレビュー画像処理能力及び自己の端末プレビュー画像処理能力を、例えば、図１２に示すように、規定プレビュー画像処理能力テーブルとして記憶し、以降のプレビュー画像の作成先を決定する際には、再度、複合装置ＭＦから規定装置プレビュー画像処理能力を取得することなく、規定プレビュー画像処理能力テーブルから読み出して、プレビュー画像の作成先を決定してもよい。なお、図１２では、プレビュー画像処理能力が数値化された状態で、記憶されていることが示されている。
【００９６】
このようにすると、プリンタ装置から規定装置プレビュー画像処理能力を取得する時間を省くことができ、処理速度を向上させることができる。また、プレビュー画像処理能力を数値化すると、比較処理を簡素化することができる。
【００９７】
このように、本実施例の画像出力システム１は、携帯端末装置ＫＴと複合装置（画像出力装置）ＭＦが有線または無線の通信回線ＮＷで接続されて、該携帯端末装置ＫＴと該複合装置ＭＦに同じ画像データが保管されている状態で、携帯端末装置ＫＴから複合装置ＭＦに画像出力を要求する前に、該画像データを画像出力したときのプレビュー画像を、該携帯端末装置ＫＴのディスプレイ（表示手段）４４に表示させる画像出力システム１であって、複合装置ＭＦの保管している前記画像データからプレビュー画像を作成するＰＤＬ機能部（装置プレビュー画像作成手段）３３と、携帯端末装置ＫＴの保管している前記画像データからプレビュー画像を作成するプレビュー管理機能部（端末プレビュー画像作成手段）５１と、ＰＤＬ機能部３３が複合装置ＭＦの前記画像データからプレビュー画像の作成を開始してから携帯端末装置ＫＴへ該プレビュー画像が提供されて該携帯端末装置ＫＴのディスプレイ４４への表示が完了するまでの装置プレビュー画像処理能力を取得するネットワークＮＷＩ／Ｆ機能部（装置プレビュー処理能力取得手段）５４と、前記端末プレビュー画像作成手段としてのプレビュー管理機能部５１が携帯端末装置ＫＴの前記画像データからプレビュー画像の作成を開始してから携帯端末装置ＫＴのディスプレイ４４へ表示させるまでの端末プレビュー画像処理能力を取得するプレビュー管理機能部（端末プレビュー処理能力取得手段）５１と、前記装置プレビュー画像処理能力と前記端末プレビュー画像処理能力に基づいて、ＰＤＬ機能部３３と前記端末プレビュー画像作成手段としてのプレビュー管理機能部５１のいずれで前記画像データのプレビュー画像を作成するかを決定するプレビュー管理機能部（プレビュー作成先決定手段）５１と、を備えている。
【００９８】
したがって、携帯端末装置ＫＴと複合装置ＭＦがそれぞれが保管している画像データからプレビュー画像を作成して携帯端末装置ＫＴのディスプレイ４４に表示させる能力が高い方にプレビュー画像を作成させることができ、携帯端末装置ＫＴと複合装置ＭＦとが画像データを保管している場合の携帯端末装置ＫＴでのプレビュー画像の表示を速やかに行うことができる。
【００９９】
また、本実施例の画像出力システム１は、装置プレビュー処理能力取得手段であるネットワークＩ／Ｆ機能部５４が、所定の画像データ量を有する規定画像データから規定プレビュー画像をＰＤＬ機能部３３が作成するまでの規定プレビュー画像作成能力と、該規定プレビュー画像を前記通信回路ＮＷを通して携帯端末装置ＫＴへの送信が完了するまでの規定通信能力と、を合わせた規定装置プレビュー画像処理能力を前記装置プレビュー画像処理能力として取得している。
【０１００】
したがって、装置プレビュー画像処理能力を、適切かつ容易に取得することができ、携帯端末装置ＫＴと複合装置ＭＦとが画像データを保管している場合の携帯端末装置ＫＴでのプレビュー画像の表示を簡単かつ速やかに行うことができる。
【０１０１】
さらに、本実施例の画像出力システム１は、前記端末プレビュー処理能力取得手段であるプレビュー管理機能部５１が、所定の画像データ量を有する規定画像データから規定プレビュー画像を作成してディスプレイ４４に表示するまでの規定端末プレビュー画像処理能力を前記端末プレビュー画像処理能力として取得している。
【０１０２】
したがって、端末プレビュー画像処理能力を、適切かつ容易に取得することができ、携帯端末装置ＫＴと複合装置ＭＦとが画像データを保管している場合の携帯端末装置ＫＴでのプレビュー画像の表示を簡単かつ速やかに行うことができる。
【０１０３】
また、本実施例の画像出力システム１は、ネットワークＩ／Ｆ機能部５４が、所定の画像データ量を有する規定画像データから規定プレビュー画像をＰＤＬ機能部３３が作成するまでの規定プレビュー画像作成能力と、該規定プレビュー画像を通信回路ＮＷを通して携帯端末装置ＫＴへの送信が完了するまでの規定通信能力と、を合わせた規定装置プレビュー画像処理能力を前記装置プレビュー画像処理能力として取得し、前記端末プレビュー処理能力取得手段としてのプレビュー管理機能部５１が、所定の画像データ量を有する規定画像データから規定プレビュー画像を作成してディスプレイ４４に表示するまでの規定端末プレビュー画像処理能力を前記端末プレビュー画像処理能力として取得し、前記プレビュー作成先決定手段としてのプレビュー管理機能部５１が、該ネットワークＩ／Ｆ機能部５４が取得したが装置プレビュー画像処理能力及び取得した該規定端末プレビュー画像処理能力を、ＲＡＭ（所定の記憶手段）４３等に保管し、該ＲＡＭ４３等の該規定装置プレビュー画像処理能力と該規定端末プレビュー画像処理能力及びプレビュー対象の前記画像データからプレビュー画像の作成先を決定している。
【０１０４】
したがって、一度、装置プレビュー画像処理能力を取得した複合装置ＭＦについては、再度装置プレビュー画像処理能力を取得する手間を省いて、プレビュー画像の作成先を決定することができ、携帯端末装置ＫＴと複合装置ＭＦとが画像データを保管している場合の携帯端末装置ＫＴでのプレビュー画像の表示を簡単かつより一層速やかに行うことができる。
【０１０５】
さらに、本実施例の画像出力システム１は、前記端末プレビュー処理能力取得手段としてのプレビュー管理機能部５１が、携帯端末装置ＫＴの稼働状況を前記端末プレビュー画像処理能力の判定材料として取得し、前記装置プレビュー処理能力取得手段としてのネットワークＩ／Ｆ機能部５４が、複合装置ＭＦの稼働状況を前記装置プレビュー画像処理能力の判定材料として取得して、前記プレビュー作成先決定手段としてのプレビュー管理機能部５１が、前記端末プレビュー画像処理能力と前記装置プレビュー画像処理能力及び携帯端末装置ＫＴの稼働状況と複合装置ＭＦの稼働状況に基づいて、プレビュー画像の作成先を決定している。
【０１０６】
したがって、端末プレビュー画像処理能力に携帯端末装置ＫＴの稼働状況を、装置プレビュー画像処理能力に複合装置ＭＦの稼働状況をそれぞれ加味して、プレビュー画像の作成先をより一層適切に決定することができ、携帯端末装置ＫＴと複合装置ＭＦとが画像データを保管している場合の携帯端末装置ＫＴでのプレビュー画像の表示をより一層速やかに行うことができる。
【０１０７】
また、本実施例の画像出力システム１は、携帯端末装置ＫＴが、画像データを保管するＲＡＭ（データ記憶手段）４３と、ディスプレイ（所定の表示手段）４４と、ＲＡＭ４３の前記画像データに基づいてディスプレイ４４に表示するプレビュー画像を作成するＣＰＵ４１で構築されるプレビュー管理機能部（端末プレビュー画像作成手段）５１と、プレビュー管理機能部５１が前記画像データからプレビュー画像を作成してディスプレイ４４に表示するまでの端末プレビュー画像処理能力を取得するＣＰＵ４１で構築されるプレビュー管理機能部（端末プレビュー処理能力取得手段）５１と、前記画像データを保管して該画像データに対する出力要求を受け付けて該画像データを画像出力するとともに、プレビュー要求を受け付けて該画像データからプレビュー画像を作成して該プレビュー要求元に送信するＰＤＬ機能部（装置プレビュー画像作成手段）３３を有する複合装置ＭＦと有線または無線の通信回線ＮＷで通信するネットワークＩ／Ｆ（通信手段）４５と、複合装置ＭＦへのプレビュー要求に基づいて該複合装置ＭＦからＰＤＬ機能部３３で前記プレビュー画像が作成されて送信されてきてディスプレイ４４に表示するまでの装置プレビュー画像処理能力を取得するにネットワークＩ／Ｆ４５で構築されるネットワークＩ／Ｆ機能部（装置プレビュー処理能力取得手段）５４と、前記装置プレビュー画像処理能力と前記端末プレビュー画像処理能力に基づいて、ＰＤＬ機能部３３とプレビュー管理機能部５１のいずれで前記画像データのプレビュー画像を作成するかを決定するＣＰＵ４１で構築されるプレビュー管理機能部（プレビュー作成先決定手段）５１と、を備えている。
【０１０８】
したがって、携帯端末装置ＫＴと複合装置ＭＦがそれぞれが保管している画像データからプレビュー画像を作成して携帯端末装置ＫＴのディスプレイ４４に表示させる能力が高い方にプレビュー画像を作成させることができ、携帯端末装置ＫＴと複合装置ＭＦとが画像データを保管している場合の携帯端末装置ＫＴでのプレビュー画像の表示を速やかに行うことができる。
【０１０９】
さらに、本実施例の画像出力システム１は、その携帯端末装置ＫＴが、画像データを保管するＲＡＭ４３等の前記画像データに基づいてディスプレイ４４に表示するプレビュー画像を作成する端末プレビュー画像作成処理ステップと、前記端末プレビュー画像作成処理ステップで前記画像データからプレビュー画像が作成されてディスプレイ４４に表示されるまでの端末プレビュー画像処理能力を取得する端末プレビュー処理能力取得処理ステップと、前記画像データを保管して該画像データに対する出力要求を受け付けて該画像データを画像出力するとともに、プレビュー要求を受け付けて該画像データからプレビュー画像を作成して該プレビュー要求元に送信する装置プレビュー画像作成処理ステップを有する複合装置ＭＦと有線または無線の通信回線ＮＷで通信する通信処理ステップと、複合装置ＭＦへのプレビュー要求に基づいて該複合装置ＭＦから前記装置プレビュー画像作成処理ステップで前記プレビュー画像が作成されて送信されてきてディスプレイ４４に表示するまでの装置プレビュー画像処理能力を取得する装置プレビュー処理能力取得処理ステップと、前記装置プレビュー画像処理能力と前記端末プレビュー画像処理能力に基づいて、前記装置プレビュー画像作成処理ステップと前記端末プレビュー画像作成処理ステップのいずれで前記画像データのプレビュー画像を作成するかを決定するプレビュー作成先決定処理ステップと、を有しているプレビュー画像作成制御方法を実行している。
【０１１０】
したがって、携帯端末装置ＫＴと複合装置ＭＦがそれぞれが保管している画像データからプレビュー画像を作成して携帯端末装置ＫＴのディスプレイ４４に表示させる能力が高い方にプレビュー画像を作成させることができ、携帯端末装置ＫＴと複合装置ＭＦとが画像データを保管している場合の携帯端末装置ＫＴでのプレビュー画像の表示を速やかに行うことができる。
【０１１１】
また、本実施例の画像出力システム１は、その携帯端末装置ＫＴが、制御プロセッサであるＣＰＵ４１に、画像データを保管するＲＡＭ４３等の前記画像データに基づいてディスプレイ４４に表示するプレビュー画像を作成する端末プレビュー画像作成処理と、前記端末プレビュー画像作成処理で前記画像データからプレビュー画像が作成されてディスプレイ４４に表示されるまでの端末プレビュー画像処理能力を取得する端末プレビュー処理能力取得処理と、前記画像データを保管して該画像データに対する出力要求を受け付けて該画像データを画像出力するとともに、プレビュー要求を受け付けて該画像データからプレビュー画像を作成して該プレビュー要求元に送信する装置プレビュー画像作成処理を実行する複合装置ＭＦと有線または無線の通信回線ＮＷで通信する通信処理と、複合装置ＭＦへのプレビュー要求に基づいて該複合装置ＭＦから前記装置プレビュー画像作成処理で前記プレビュー画像が作成されて送信されてきてディスプレイ４４に表示するまでの装置プレビュー画像処理能力を取得する装置プレビュー処理能力取得処理と、前記装置プレビュー画像処理能力と前記端末プレビュー画像処理能力に基づいて、前記装置プレビュー画像作成処理と前記端末プレビュー画像作成処理のいずれで前記画像データのプレビュー画像を作成するかを決定するプレビュー作成先決定処理と、を実行させるプレビュー画像作成制御プログラムを搭載している。
【０１１２】
したがって、携帯端末装置ＫＴと複合装置ＭＦがそれぞれが保管している画像データからプレビュー画像を作成して携帯端末装置ＫＴのディスプレイ４４に表示させる能力が高い方にプレビュー画像を作成させることができ、携帯端末装置ＫＴと複合装置ＭＦとが画像データを保管している場合の携帯端末装置ＫＴでのプレビュー画像の表示を速やかに行うことができる。
【０１１３】
さらに、本実施例は、画像データからディスプレイ４４に表示するプレビュー画像を作成するプレビュー管理機能部（端末プレビュー画像作成手段）５１を有する携帯端末装置ＫＴと、画像データから該ディスプレイ４４に表示するプレビュー画像を作成するＰＤＬ機能部（装置プレビュー画像作成手段）３３を有する複合装置ＭＦが有線または無線の通信回線ＮＷで接続されて、該携帯端末装置ＫＴと該複合装置ＭＦに同じ画像データが保管されている状態で、該携帯端末装置ＫＴから該複合装置ＭＦに画像出力を要求する前に、該画像データを画像出力したときのプレビュー画像を、該携帯端末装置ＫＴの該ディスプレイ４４に表示させる画像プレビューシステムであって、携帯端末装置ＫＴが、制御プロセッサとしてのＣＰＵ４１に、画像データを保管するＲＡＭ４３等の画像データに基づいてディスプレイ４４に表示するプレビュー画像を作成する端末プレビュー画像作成処理と、前記端末プレビュー画像作成処理で前記画像データからプレビュー画像が作成されてディスプレイ４４に表示されるまでの端末プレビュー画像処理能力を取得する端末プレビュー処理能力取得処理と、前記画像データを保管して該画像データに対する出力要求を受け付けて該画像データを画像出力するとともに、プレビュー要求を受け付けて前記装置プレビュー画像作成処理で該画像データからプレビュー画像を作成して該プレビュー要求元に送信する前記画像出力装置と前記通信回線で通信する通信処理と、複合装置ＭＦへのプレビュー要求に基づいて該複合装置ＭＦから前記装置プレビュー画像作成処理で前記プレビュー画像が作成されて送信されてきてディスプレイ４４に表示するまでの装置プレビュー画像処理能力を取得する装置プレビュー処理能力取得処理と、前記装置プレビュー画像処理能力と前記端末プレビュー画像処理能力に基づいて、前記装置プレビュー画像作成処理と前記端末プレビュー画像作成処理のいずれで前記画像データのプレビュー画像を作成するかを決定するプレビュー作成先決定処理と、を実行させるプレビュー画像作成制御プログラムを搭載している画像プレビューシステムとして機能している。
【０１１４】
したがって、携帯端末装置ＫＴと複合装置ＭＦがそれぞれが保管している画像データからプレビュー画像を作成して携帯端末装置ＫＴのディスプレイ４４に表示させる能力が高い方にプレビュー画像を作成させることができ、携帯端末装置ＫＴと複合装置ＭＦとが画像データを保管している場合の携帯端末装置ＫＴでのプレビュー画像の表示を速やかに行うことができる。
【０１１５】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１６】
１  画像出力システム
ＭＦ  複合装置
ＫＴ  携帯端末装置
ＮＷ  通信回線
１１  コントローラ
１２  エンジン
１３  オペレーションパネル
２１  ＣＰＵ
２２  ＲＯＭ
２３  ＲＡＭ
２４  メモリアービタ
２５  ＮＶＲＡＭ
２６  ネットワークＩ／Ｆ
２７  エンジンＩ／Ｆ
２８  パネルＩ／Ｆ
２９  バス
３１  システムコントロール機能部
３２  ネットワークＩ／Ｆ機能部
３３  ＰＤＬ機能部
３４  エンジンＩ／Ｆ機能部
３５  パネルＩ／Ｆ機能部
４１  ＣＰＵ
４２  ＲＯＭ
４３  ＲＡＭ
４４  ディスプレイ
４５  ネットワークＩ／Ｆ
４６  入力Ｉ／Ｆ
４７  バス
５１  プレビュー管理機能部
５２  画面制御機能部
５３  画面表示機能部
５４  ネットワークＩ／Ｆ機能部
５５  ユーザＩ／Ｆ機能部
【先行技術文献】
【特許文献】
【０１１７】
【特許文献１】特開２００６−１６３７９４号公報
【図１】
2014059709.tif 000003
【図２】
2014059709.tif 000004
【図３】
2014059709.tif 000005
【図４】
2014059709.tif 000006
【図５】
2014059709.tif 000007
【図６】
2014059709.tif 000008
【図７】
2014059709.tif 000009
【図８】
2014059709.tif 000010
【図９】
2014059709.tif 000011
【図１０】
2014059709.tif 000012
【図１１】
2014059709.tif 000013
【図１２】
2014059709.tif 000014